(57)【特許請求の範囲】
【請求項１】
本体と、
前記本体の上面に配置され、被加熱物を載置可能なトッププレートと、
前記本体内に設けられた加熱手段と、を備えた加熱調理器において、
回路基板に設けられた一又は複数の光源、前記回路基板の上に配置されて前記光源を囲繞する導光枠、及び前記導光枠と前記光源の上方を覆い前記光源の光を透過させるシート部材を有し、前記加熱調理器の上面に設けられて前記加熱手段の運転状態又は設定状態を表示する表示部と、
前記トッププレートの外周を囲むプレート枠と、
前記回路基板の上面の少なくとも一部を覆う基板カバーと、
前記回路基板に設けられ、外部からの入力を受け付けるスイッチと、
前記基板カバーにヒンジ部を介して設けられ、外部からの押圧を受けて前記スイッチを押下する操作ボタンと、
前記プレート枠に設けられ、前記操作ボタンを嵌入可能な操作用開口部と、
前記操作用開口部より大きい外形を有し、前記プレート枠の下面と前記スイッチとの間に介在して前記操作用開口部からの異物の侵入を阻む遮蔽部とを備えた
ことを特徴とする加熱調理器。
【請求項２】
前記表示部を前記トッププレートよりも手前側に設けた
ことを特徴とする請求項１記載の加熱調理器。
【請求項３】
前記本体の上端部から外側に張り出し、厨房家具の天板に形成された設置口に設置されたときに前記設置口の周縁に載置される本体フランジ部を備え、
前記表示部を前記本体フランジ部に設けた
ことを特徴とする請求項１又は請求項２に記載の加熱調理器。
【請求項４】
前記導光枠の内壁は、下端部から上方に向かうにつれて内径が小さくなるよう傾斜した傾斜部を有する
ことを特徴とする請求項１〜請求項３のいずれか一項に記載の加熱調理器。
【請求項５】
前記導光枠を、前記基板カバーに一体に設けた
ことを特徴とする請求項１〜請求項４のいずれか一項に記載の加熱調理器。
【請求項６】
前記光源の光が前記導光枠の外へ漏れないよう遮光可能な部材で前記導光枠を構成した
ことを特徴とする請求項１〜請求項５のいずれか一項に記載の加熱調理器。
【請求項７】
平面視において所定の文字又は図形を形どるように前記導光枠の上端部の内周縁を構成した
ことを特徴とする請求項１〜請求項６のいずれか一項に記載の加熱調理器。
【請求項８】
前記光源の輝度又は発光色を制御する制御手段を備えた
ことを特徴とする請求項１〜請求項７のいずれか一項に記載の加熱調理器。
【請求項９】
前記遮蔽部は、前記操作ボタンの外周に形成されたフランジである
ことを特徴とする請求項１〜請求項８のいずれか一項に記載の加熱調理器。
【請求項１０】
前記操作ボタンの下方向への移動範囲を規制するストッパーを設けた
ことを特徴とする請求項１〜請求項９のいずれか一項に記載の加熱調理器。
【発明の詳細な説明】
【技術分野】
【０００１】
本発明は、上面に表示部を備えたビルトイン式の加熱調理器に関する。
【背景技術】
【０００２】
従来の加熱調理器は、本体の上面にトッププレートが配置され、このトッププレートの周りにトッププレートカバー枠が固着されている。このような加熱調理器の表示部として、「トッププレート２部に設けられ、下方にバックライトを備えた液晶表示素子で構成され、加熱部４、５、６に対応して各加熱部４、５、６の設定状態または運転状態を点灯表示し、加熱部４、５、６の通電時に火力の強さに応じて点灯の色が変化する。」という技術が提案されている（例えば、特許文献１参照）。
【先行技術文献】
【特許文献】
【０００３】
【特許文献１】特開２００３−２２３９７７号公報（第４頁、図１、図３）
【発明の概要】
【発明が解決しようとする課題】
【０００４】
従来の加熱調理器では、トッププレート上に、液晶表示素子で構成された表示部を設けている。加熱調理器の上面に表示部を設けると、使用時において使用者が表示部を見下ろすことができるので視認性が高いという利点がある。
【０００５】
ここで、厨房家具に設けた設置口に加熱調理器を上から挿入するビルトイン式の加熱調理器がある。ビルトイン式の加熱調理器においては、厨房家具の天板に形成された設置口に設置されたときに設置口の周縁に載置される本体フランジ部を本体上端部に備えており、この本体フランジ部に表示部を設けることも考えられる。
【０００６】
しかし、従来の加熱調理器において表示部として用いられている液晶表示素子や７セグメントの表示ユニットなど市販の表示部品（表示ユニット）は、高さ寸法が大きい。このため、本体フランジ部に市販の表示部品を組み込むと、本体フランジ部の上面と厨房家具の天面との段差が大きくなり使用者の使い勝手が悪くなってしまうので、本体フランジ部に市販の表示部品を組み込むのは困難であった。一方、高さの低い液晶表示素子や７セグメントの表示ユニットなどを専用部品として製造することも考えられるが、その場合には製造コストが高くなってしまう。
【０００７】
本発明は、上記のような課題を解決するためになされたものであり、低コストで高さ寸法の低い表示部を上面に備えた加熱調理器を提供するものである。
【課題を解決するための手段】
【０００８】
本発明に係る加熱調理器は、本体と、前記本体の上面に配置され、被加熱物を載置可能なトッププレートと、前記本体内に設けられた加熱手段と、を備えた加熱調理器において、回路基板に設けられた一又は複数の光源、前記回路基板の上に配置されて前記光源を囲繞する導光枠、及び前記導光枠と前記光源の上方を覆い前記光源の光を透過させるシート部材を有し、前記加熱調理器の上面に設けられて前記加熱手段の運転状態又は設定状態を表示する表示部と、前記トッププレートの外周を囲むプレート枠と、前記回路基板の上面の少なくとも一部を覆う基板カバーと、前記回路基板に設けられ、外部からの入力を受け付けるスイッチと、前記基板カバーにヒンジ部を介して設けられ、外部からの押圧を受けて前記スイッチを押下する操作ボタンと、前記プレート枠に設けられ、前記操作ボタンを嵌入可能な操作用開口部と、前記操作用開口部より大きい外形を有し、前記プレート枠の下面と前記スイッチとの間に介在して前記操作用開口部からの異物の侵入を阻む遮蔽部とを備えたものである。
【発明の効果】
【０００９】
本発明に係る加熱調理器は、加熱調理器の上面に表示部を設け、この表示部は、回路基板に設けられた一又は複数の光源と、回路基板の上に配置されて前記光源を囲繞する導光枠と、導光枠と前記光源の上方を覆い、前記光源の光を透過させるシート部材とを備えた。この構成により、加熱調理器の上面に表示部が設けられているので、使用者が加熱調理器を上から見下ろしたときに表示部が見えやすく、使い勝手がよい。また、導光枠の高さを調整することにより、市販の液晶表示素子や７セグメントの表示ユニットなどの表示部品を用いるよりも表示部の高さ寸法を小さくできるので、厨房家具の設置口に設置した場合に厨房家具の天面と表示部との段差を小さくでき、使い勝手がよい。
【図面の簡単な説明】
【００１０】
【図１】実施の形態に係る加熱調理器の外観斜視図である。
【図２】実施の形態に係る加熱調理器の要部分解斜視図である。
【図３】実施の形態に係る導光枠を備えた基板カバーを説明する図である。
【図４】実施の形態に係る数値表示部を説明する図である。
【図５】実施の形態に係る数値表示部の要部断面模式図である。
【図６】実施の形態に係る導光枠の背面斜視図である。
【図７】実施の形態に係る電源の操作ボタンを供えた基板カバーを説明する図である。
【図８】実施の形態に係る電源ボタンの要部断面模式図である。
【図９】実施の形態に係る高温注意表示部を説明する図である。
【図１０】実施の形態に係る操作表示部の要部分解斜視図である。
【発明を実施するための形態】
【００１１】
実施の形態．
本実施の形態では、厨房家具等に組み込まれて使用される、いわゆるビルトイン式の加熱調理器を例に説明する。
図１は、実施の形態に係る加熱調理器の外観斜視図、図２は実施の形態に係る加熱調理器の要部分解斜視図である。
【００１２】
［加熱調理器の全体構成］
加熱調理器１００は、上面を開口したほぼ直方体の本体ケース１と、本体ケース１の上面開口を覆うトッププレート２と、トッププレート２の外周に額縁状に取り付けられたプレート枠３と、使用者による操作を受け付けるとともに加熱条件や動作状態を表示する操作表示部１０とを備えている。トッププレート２は、全体が耐熱強化ガラスや結晶化ガラス等の材料で構成され、プレート枠３の開口部の形状に合わせて長方形又は正方形に形成されている。プレート枠３は、全体が非磁性ステンレス板又はアルミ板などの金属製板によって額縁状に形成されており、本体ケース１の上部開口の外周部に沿うようにして配置される。さらに、トッププレート２の外周部とプレート枠３の開口部との間には、ゴム製パッキンやシール材（図示せず）を介在させており、両者が水密状態に固定されている。このように、プレート枠３とトッププレート２との対面部分に形成される隙間はゴム製パッキンやシール材（図示せず）により塞がれているため、トッププレート２の上面から本体ケース１の内部に水滴などが浸入しないようになっている。
【００１３】
本体ケース１の内部には、トッププレート２に載置される鍋などの被加熱物を加熱する加熱コイル４ａ、４ｂが収容されている。また、本体ケース１の内部には、操作表示部１０からの信号を受けて加熱コイル４ａ、４ｂによる加熱動作を制御する制御回路を備えた制御基板（図示せず）が収容されている。トッププレート２の加熱コイル４ａ、４ｂの大まかな位置を示す円形の案内マーク２ａ、２ｂが、それぞれ印刷などの方法で表示されている。
【００１４】
本体ケース１の内部には、箱形のグリル５が形成されている。グリル５は、その前面をドア５ａによって開閉自在に覆われている。グリル５内には図示しない電気ヒータなどの加熱手段が設けられており、この加熱手段によりグリル５内が加熱される。
【００１５】
加熱調理器１００の背面側の上面には、吸気口６と、排気口７とが設けられている。吸気口６は、加熱調理器１００の背面側上面の右側に設けられており、加熱調理器１００の内部に空気を吸い込むための開口部である。本体ケース１内部の吸気口６の上流側には、図示しないファンが組み込まれており、このファンの駆動により吸気口６から空気が吸い込まれる。排気口７は、加熱調理器１００の背面側上面の左側に設けられており、加熱調理器１００内の加熱された空気を加熱調理器１００の外部に排出するための開口部である。
【００１６】
このように構成された加熱調理器１００の本体ケース１を、流し台やコンロ置き場などの厨房家具に形成した設置口に、上側から挿入する。加熱調理器１００を厨房家具の設置口に収容した状態では、設置口の周縁上面にプレート枠３の下面が接し、加熱調理器１００の荷重を支える。本発明の本体フランジ部は、本実施の形態ではプレート枠３に相当する。
【００１７】
［操作表示部］
次に、加熱調理器１００の操作表示部１０について説明する。操作表示部１０は、使用者による操作を受け付けるとともに加熱条件や動作状態を表示するものであり、トッププレート２よりも手前に設けられている。なお、「トッププレート２より手前」とは、使用時において、トッププレート２の被加熱物が載置される領域よりも使用者側の位置をいう。操作表示部１０は、例えば加熱コイル４ａ、４ｂの加熱温度やタイマー時間を表示する数値表示部２０と、電源ボタン３０と、高温注意表示部４０と、火力表示部５０とを備えている。操作表示部１０を構成する部材としては、図２に示すように、操作表示基板１１０ａ、１１０ｂと、基板ホルダー１２０と、基板カバー１３０と、化粧シート１４０とを備えている。
【００１８】
操作表示基板１１０ａ、１１０ｂ（以下、操作表示基板１１０と総称する場合がある）は、後述する発光素子や操作ボタン、これらを制御する制御部品が実装された基板である。操作表示基板１１０は、本発明の回路基板に相当する。なお、本実施の形態では２つの操作表示基板１１０ａ、１１０ｂを設けた例を示すが、１つの操作表示基板を設けてもよい。
【００１９】
基板ホルダー１２０は、操作表示基板１１０を収容する合成樹脂材料からなるケースである。本実施の形態では、操作表示基板１１０ａ、１１０ｂを１つの基板ホルダー１２０に収容するように構成していて、部品点数が増加しないようにするとともに２つの操作表示基板１１０を一つにまとめて組み立て時の取り扱いが容易になるようにしている。なお、操作表示基板１１０ａ、１１０ｂに対応して２つの基板ホルダーを設けてもよい。
【００２０】
基板カバー１３０ａ、１３０ｂ（以下、基板カバー１３０と総称する場合がある）は、操作表示基板１１０ａ、１１０ｂをそれぞれ上方から覆う合成樹脂材料からなるカバーである。基板カバー１３０は、上方からの衝撃から操作表示基板１１０を保護する。また、詳細は後述するが、基板カバー１３０には、導光枠２２や操作ボタン３２等の数値表示部２０や電源ボタン３０を構成する部材が一体に形成されている。なお、本実施の形態では２つの基板カバー１３０ａ、１３０ｂで操作表示基板１１０を覆う例を示すが、基板カバーの数はこれに限定するものではなく、例えば１つあるいは３つ以上の基板カバーを設けてもよい。
【００２１】
このように構成された操作表示基板１１０を、基板ホルダー１２０の所定位置に載置し、その上を覆うように基板カバー１３０を重ねる。基板ホルダー１２０には、固定軸１２１が上に向かって起立しており、この固定軸１２１を、操作表示基板１１０の左右端部に設けられた固定軸に対応する固定穴１１１と、基板カバー１３０に設けられたボス１３１に挿入する。このようにすることで、操作表示基板１１０、基板ホルダー１２０、及び基板カバー１３０の位置決めがなされる。なお、以降の説明において、組み付け状態にある操作表示基板１１０、基板ホルダー１２０、及び基板カバー１３０を、操作表示ユニット１５０と総称する場合がある。
【００２２】
プレート枠３の手前側の辺には、操作表示部１０の各種操作ボタンや表示部に対応して、複数の開口部が設けられている。操作表示ユニット１５０は、複数の開口部が設けられたプレート枠３の、手前側の辺の下側に、プレート枠３の下面と基板カバー１３０の上面とが接するようにしてネジ等によって固定される。
【００２３】
化粧シート１４０は、プレート枠３に設けられた複数の開口部全体を、上側から一括して覆うシートであり、本発明のシート部材に相当する。化粧シート１４０には、数値表示部２０、電源ボタン３０、高温注意表示部４０等に対応する位置に、印刷や、上下方向にたわむエンボス加工が施されている。
【００２４】
使用者は、化粧シート１４０の上から操作表示部１０の各種表示を確認し、また、化粧シート１４０の上から電源ボタン３０等の操作部を操作することができる。
【００２５】
（数値表示部）
次に、数値表示部２０について詳細に説明する。数値表示部２０は、本発明の表示部に相当する。図３は、基板カバー１３０ａを説明する図であり、（ａ）は平面図、（ｂ）は正面図、（ｃ）は底面図、（ｄ）は上方向から見た斜視図である。図４は、数値表示部２０を説明する図、図５は、数値表示部の要部断面模式図、図６は基板カバー１３０ａの数値表示部近傍を裏側から見た図である。本実施の形態では、数値表示部２０は、７セグメントで０〜９までの数値を表現するいわゆる７セグ表示によって２桁の数値を表示するものである。
【００２６】
図２〜図６に示すように、数値表示部２０は、操作表示基板１１０ａに設けられた光源としての複数の発光素子２１と、基板カバー１３０ａに一体に設けられて発光素子２１を囲繞する導光枠２２と、化粧シート１４０に設けられた表示窓２３とを備えている。
【００２７】
発光素子２１は、図４に示すように７セグ表示の各セグメントに対応する位置に１個ずつ、合計７個設けられている。発光素子２１としては、単色のＬＥＤや多色のＬＥＤを用いることができる。また、発光素子２１は、図示しない制御部により輝度や発光色が変更可能なものであってもよい。このように発光素子２１の種類やその制御方法を変更することで、多彩な表示が可能となる。
【００２８】
導光枠２２は、平面視においていわゆる７セグ表示の各セグメントの形状を形どっている。各セグメントを示す導光枠２２の内側には、発光素子２１が１つずつ配置されている。すなわち、導光枠２２により発光素子２１の外周を囲繞している。
【００２９】
図３、図５、図６に示すように、導光枠２２は、下端部から上方に向かうにつれて内径が小さくなるように傾斜した傾斜壁２２ａと、傾斜壁２２ａの上端部からほぼ垂直に起立する垂直壁２２ｂとを備えている。傾斜壁２２ａの下端部は、発光素子２１の外周部に所定の隙間Ｓを空けて配置される。このようにすることで、操作表示基板１１０ａにおける発光素子２１の実装位置のばらつきを隙間Ｓによって吸収でき、加熱調理器１００の歩留まり率を向上させることができる。また、傾斜壁２２ａにより発光素子２１の上方の空間を絞り込むことで、発光素子２１の光が隣接する導光枠２２内に漏れるのを抑制するとともに、発光素子２１の光を導光枠２２の上部に導いている。また、傾斜壁２２ａの傾斜角度を調整することで、数値表示部２０で表示する数値の、文字の太さの調整が行える。例えば、傾斜壁２２ａの傾斜を大きくすれば文字を細くできるし、傾斜を小さくすれば文字を太くできる。
【００３０】
また、垂直壁２２ｂの上端部は、基板カバー１３０の上面に連なっているので、数値表示部２０の上を押下されたり鍋などを載置された場合でも、発光素子２１や操作表示基板１１０ａに伝わる衝撃を緩和できて損傷を抑制できる。
【００３１】
導光枠２２は、例えばグレーなどの光を透過しづらい色付きの合成樹脂で構成するのが好ましい。このような遮光材料で構成することで、隣接する導光枠２２内に光が漏れるのを抑制でき、使用者の視認性を向上させることができる。
【００３２】
表示窓２３は、発光素子２１と導光枠２２とで表現する数値の範囲に対応する形状及び位置に設けられている。表示窓２３には、透明あるいは半透明の塗装が施されていて、発光素子２１の光を透過可能になっている。例えば、表示窓２３に半透明スモーク等の光を拡散する塗装を施すことで、発光素子２１の光の見え方を調整することができる。すなわち、表示窓２３の塗装を変更するだけで簡単に数値表示部２０の見え方を調整でき、表示のバリエーション展開も容易である。
【００３３】
また、プレート枠３の手前側の辺に設けられた複数の開口部のうちの１つとして、表示用開口部２４が設けられている。表示用開口部２４は、数値表示部２０の数値部分を上から見たときに視認可能な大きさで開口している。導光枠２２、表示用開口部２４、表示窓２３の位置を合わせるようにして操作表示ユニット１５０、プレート枠３、化粧シート１４０を順に重ねることで、加熱調理器１００の上側から数値表示部２０を見ることができる。
【００３４】
以上のように、加熱調理器１００の上面に数値表示部２０を設けたので、使用者が加熱調理器１００を上から見下ろしたときに数値表示部２０が見えやすく、使い勝手がよい。また、数値表示部２０を、トッププレート２上ではなく、加熱調理器１００の上面手前側の操作表示部１０内に設けたので、吹きこぼれにより数値表示部２０が隠れるのを抑制できる。
【００３５】
また、数値表示部２０は、発光素子２１と、これを囲繞する導光枠２２と、導光枠２２と発光素子２１の上方を覆い、発光素子２１の光を透過させる表示窓２３を備えた。発光素子２１とこれを囲繞する導光枠２２により数値等の文字を表現するようにしたので、導光枠２２の高さを調整することで、容易に数値表示部２０の高さ寸法を変更することができる。このため、導光枠２２の高さ寸法を小さくすることで、プレート枠３に数値表示部２０を設けた場合でも、プレート枠３の高さが高くなりすぎることがない。したがって、加熱調理器１００の上面における段差を小さくすることができ、段差による使い勝手への影響を低減できる。
【００３６】
また、発光素子２１の配置位置と、これを囲繞する導光枠２２の形状を変更することで、様々な文字や図形等の表示を実現できる。例えば、本実施の形態で例示した７セグメントの数値表示のほか、注意を促す文字や記号、数値の単位など任意の表示が可能である。また、導光枠２２の形状を調整することで、文字の太さを変更することも可能である。また、発光素子２１として多色ＬＥＤを用いた場合には、文字の色を変更することも可能である。このように、多彩な表示が可能となる。
従来のように市販の表示ユニットを用いる場合には表示できる文字に限りがあり、専用の表示ユニットを製造すると製造コストが高くなるが、本実施の形態によれば任意の表示を低コストで実現できる。このため、例えば太くて見やすい文字を好む使用者向けの加熱調理器１００を製造するなど、加熱調理器１００のバリエーション展開を低コストで実現できる。
【００３７】
また、導光枠２２は、操作表示基板１１０を覆う基板カバー１３０に一体に構成したので、部品点数が増加することもない。
【００３８】
なお、本実施の形態では、トッププレート２の外周を額縁状に覆うプレート枠３に数値表示部２０を設け、数値表示部２０の上面は化粧シート１４０の表示窓２３で覆う構成とした。しかし、本実施の形態の数値表示部２０に相当する領域までトッププレートの面積を広げ、数値表示部２０の上面をトッププレートで覆う構成としてもよい。
【００３９】
（電源ボタン）
次に、電源ボタン３０について詳細に説明する。図７は、基板カバー１３０ｂの部分拡大図であり、（ａ）は平面図、（ｂ）は正面図、（ｃ）は底面図である。図８は、電源ボタン３０の要部断面模式図である。以下、図２、図７、図８を参照して説明する。
【００４０】
電源ボタン３０は、操作表示基板１１０ｂに設けられ、加熱調理器１００の電源のオン／オフを切り替えるスイッチ３１と、基板カバー１３０ｂに一体に設けられた操作ボタン３２と、化粧シート１４０に設けられた操作部位３６とを備えている。操作部位３６には、上下方向にたわむエンボス加工がなされている。プレート枠３の電源ボタン３０に対応する位置には、操作ボタン３２を嵌入可能な電源用開口部３７が開口している。なお、電源用開口部３７は、本発明の操作用開口部に相当する。
【００４１】
操作表示ユニット１５０をプレート枠３の下側に組み付けると、操作ボタン３２が電源用開口部３７に嵌入される。そして、電源用開口部３７の上に操作部位３６が重なるようにして、化粧シート１４０をプレート枠３の上に配置する。すなわち、スイッチ３１、操作ボタン３２、及び操作部位３６を順に重ねて電源ボタン３０が構成される。このような構成において、操作部位３６の上から押圧操作すると、その力が操作部位３６を介して操作ボタン３２に伝わり、さらに操作ボタン３２によりスイッチ３１が押下されて、スイッチ３１が切り替わる。
【００４２】
なお、図７に示すように、例えば温度調整ボタンやメニュー選択ボタンなど操作表示部１０の他の操作部についても同様の構成である。すなわち、操作表示基板１１０に設けられたスイッチを押下するための操作ボタン６２が、基板カバー１３０に一体に設けられている。
【００４３】
次に、操作ボタン３２及びその周辺部についてさらに説明する。
操作ボタン３２は、天面部３２１と、天面部３２１と対向する面である底面部３２２によりボタン本体が構成されている。この操作ボタン３２は、ヒンジ部３３により基板カバー１３０に接続されている。ヒンジ部３３は、上下方向にたわむヒンジ構造を有している。操作ボタン３２を上から押圧すると、ヒンジ部３３が下方向にたわみ、操作ボタン３２が下方向に移動する。
【００４４】
操作ボタン３２の外周部には、外側に向かって張り出すフランジ３４が設けられている。フランジ３４の外形は、プレート枠３に設けられた電源用開口部３７よりも大きい外形を有している。また、フランジ３４の外形は、スイッチ３１の外形よりも大きい。そして、操作表示ユニット１５０をプレート枠３に組み付けると、プレート枠３の下面とスイッチ３１との間に、フランジ３４が介在することとなる。したがって、操作表示ユニット１５０をプレート枠３に組み付け、電源用開口部３７の上から見ると、スイッチ３１はフランジ３４に隠れていて見えない状態となる。フランジ３４は、電源用開口部３７からその下側に使用者の指や菜箸等の異物が侵入するのを阻む遮蔽部として機能する。
【００４５】
操作ボタン３２の底面部３２２側からは、下方向に向かって棒状のストッパー３５が突出している。ストッパー３５は、本実施の形態ではフランジ３４に一体に形成されており、操作ボタン３２の上下方向への移動に連動して動く。すなわち、フランジ３４は、本実施の形態ではストッパー３５と操作ボタン３２とを連動させる機能を備えている。
【００４６】
図８を参照して操作ボタン３２とストッパー３５の構造と作用を説明する。
図８（ａ）に示すように、電源ボタン３０が全く押下されていない状態では、操作ボタン３２の底面部３２２は、スイッチ３１に接していない。また、ストッパー３５の下端部も、操作表示基板１１０ｂに接していない。
【００４７】
図８（ｂ）に示すように、電源ボタン３０を操作部位３６の上から押下すると、ヒンジ部３３が下方向にたわんで操作ボタン３２がスイッチ３１を押下し始める。操作ボタン３２の移動に伴ってストッパー３５も一緒に下方向に移動するが、スイッチ３１が切り替わる重量が加わるまでの間は、ストッパー３５は操作表示基板１１０ｂに接しない。
【００４８】
図８（ｃ）に示すように、電源ボタン３０をさらに押下すると、スイッチ３１が切り替わる。スイッチ３１が切り替わった状態において、ストッパー３５は操作表示基板１１０ｂの表面に接し、操作ボタン３２の下方向への移動を規制する。全く押圧されていない状態（図８（ａ））でのストッパー３５の下端部から操作表示基板１１０ｂの表面までの距離は、スイッチ３１の仕様（何ニュートンでどれだけスイッチ３１の操作面が下がるか）によって決める。ストッパー３５が操作表示基板１１０ｂの表面に接すると、これ以上は電源ボタン３０が押下されても操作ボタン３２は下方向に移動しないので、スイッチ３１にさらに押圧が加えられることはない。
【００４９】
以上のように、プレート枠３に設けた電源用開口部３７に嵌入され、電源用開口部３７の上からの押圧を受けてスイッチ３１を押下する操作ボタン３２を設け、操作ボタン３２の外周には電源用開口部３７よりも大きい外形を有し操作ボタン３２の径方向外側に向かって張り出すフランジ３４を設けた。そして、フランジ３４は、プレート枠３の下面とスイッチ３１との間に配置した。このため、電源ボタン３０が強い力で押圧されて操作部位３６が破れた場合でも、フランジ３４が電源用開口部３７に指や菜箸等の異物が侵入するのを阻み、スイッチ３１や操作表示基板１１０ｂに指等が直接触れることがない。電源ボタン３０の操作部位３６は、繰り返し押下されると劣化して破れるおそれがある。また、電源ボタン３０は加熱調理器１００の上面、すなわち、トッププレート２と近接して設けられているため、鍋をずらした際に鍋が電源ボタンの上に乗って重量がかかり、場合によっては操作部位３６が破れることも考えられる。また、菜箸等の先端が尖った調理器具が電源ボタン３０の操作部位３６に触れる可能性もあり、このような場合にも破れる可能性がある。このように化粧シート１４０の操作部位３６が破れた場合でも、フランジ３４がプレート枠３の下面とスイッチ３１との間に介在しているので、２００Ｖの電源線が接続されている操作表示基板１１０ｂに直接指が触れて感電するのを回避できる。
【００５０】
また、操作ボタン３２の下方向への移動を規制するストッパー３５を設けたので、スイッチ３１が必要以上に押下されて破損するのを抑制できる。例えば使用者が強い力で電源ボタン３０を押下した場合や、重い鍋などが電源ボタン３０の上に載置された場合、スイッチ３１を切り替え可能な押圧力を超える押圧力がスイッチ３１にかかる可能性があり、そうなるとスイッチ３１が破損しうる。しかし、スイッチ３１が必要以上に押下される前にストッパー３５が基板に先当たりし、それ以上操作ボタン３２が下方向に移動しないので、強い押圧力が加わることによるスイッチ３１の破損を回避できる。
【００５１】
また、操作ボタン３２を、操作表示基板１１０を覆う基板カバー１３０に一体に構成したので、部品点数が増加することもなく、操作表示ユニット１５０の組み立て工数も低減できる。
【００５２】
なお、上記説明では、電源ボタン３０にフランジ３４とストッパー３５を設けた例を説明したが、温度調整ボタンやメニュー選択ボタンなど操作表示部１０の他の操作ボタンに同様のフランジやストッパーを設けることもでき、同様の効果を得ることができる。
【００５３】
（高温注意表示）
次に、高温注意表示部４０について詳細に説明する。図９は、高温注意表示部４０を説明する図であり、（ａ）は操作表示部１０の斜視図、（ｂ）は高温注意表示部４０を拡大した図である。図１０は、高温注意表示部４０の分解斜視図である。以下、図２、図９、図１０を参照して説明する。
【００５４】
高温注意表示部４０は、加熱コイル４ａ、４ｂあるいはグリル５への通電中に、トッププレート２やグリル５が高温となっていることを使用者に知らせて注意を促すための表示部である。図９に示すように、高温注意表示部４０は、「高温注意」の文字を表示する高温注意部４０ａ、「トッププレート」の文字を表示するトッププレート部４０ｂ、「グリル」の文字を表示するグリル部４０ｃに分かれている。
【００５５】
操作表示基板１１０ｂには、高温注意部４０ａ、トッププレート部４０ｂ、グリル部４０ｃの３箇所にそれぞれ対応する１又は複数の光源としての発光素子４１ａ、４１ｂ、４１ｃが実装されている。本実施の形態では、高温注意部４０ａに対応して２つの発光素子４１ａを、トッププレート部４０ｂに対応して２つの発光素子４１ｂを、グリル部４０ｃに対応して１つの発光素子４１ｃを設けている。
【００５６】
基板カバー１３０ｂには、発光素子４１ａ、４１ｂ、４１ｃをそれぞれ囲繞する導光枠４２ａ、４２ｂ、４２ｃが設けられている。導光枠４２ａ、４２ｂ、４２ｃは、「高温注意」「トッププレート」「グリル」の文字の外側を囲うようにして、平面視直方体に形成されている。この導光枠４２ａ、４２ｂ、４２ｃは、前述した数値表示部２０の導光枠２２で設けた傾斜壁２２ａは設けず垂直な内壁としているが、傾斜壁２２ａのような傾斜する壁を導光枠４２ａ、４２ｂ、４２ｃの内壁として設けてもよい。
【００５７】
プレート枠３には、導光枠４２ａ、４２ｂ、４２ｃに対応する注意表示用開口部４４ａ、４４ｂ、４４ｃが開口している。
【００５８】
化粧シート１４０には、注意表示用開口部４４ａ、４４ｂ、４４ｃに対応して文字表示部４３ａ、４３ｂ、４３ｃが設けられている。文字表示部４３ａ、４３ｂ、４３ｃは、それぞれ、「高温表示」「トッププレート」「グリル」の文字部分のみを発光素子４１ａ、４１ｂ、４１ｃの光が透過するように透明あるいは半透明塗装が施されている。逆に、文字部分のみ不透明で、文字の周囲を透明あるいは半透明塗装としてもよい。いずれにしても、発光素子４１ａ、４１ｂ、４１ｃの光が透過して、加熱調理器１００の上から見たときに文字が認識できるように構成すればよい。
【００５９】
そして、導光枠４２ａ〜４２ｃ、注意表示用開口部４４ａ〜４４ｃ、文字表示部４３ａ〜４３ｃの位置をそれぞれ合わせるようにして、操作表示ユニット１５０、プレート枠３、化粧シート１４０を順に重ねることで、加熱調理器１００の上側から高温注意表示部４０を見ることができる。加熱コイル４ａ、４ｂに通電が開始されると、制御回路（図示せず）は、高温注意部４０ａとトッププレート部４０ｂに対応する発光素子４１ａ、４１ｂを点灯させる。また、グリル５に通電が開始されると、制御回路（図示せず）は、高温注意部４０ａ、グリル部４０ｃに対応する発光素子４１ａ、４１ｃを点灯させる。このようにすることで、トッププレート２あるいはグリル５が高温となっていることを使用者に報知し、注意を促すことができる。
【００６０】
なお、高温注意表示部４０と同様に、発光素子、導光枠、及び化粧シートによる構成で、加熱時の火力を表示する火力表示部５０や、加熱メニューを選択操作するメニュー選択部６０などの各種操作部や表示部が、操作表示部１０に配置されている。
【００６１】
そして、高温注意表示部４０は、加熱調理器１００の左右幅ほぼいっぱいに亘って設けられた操作表示部１０の、左右方向ほぼ中央位置に設けられている。このように高温注意表示部４０を操作表示部１０の中央近傍に設けることで、高温注意表示部４０を目立たせることができ、使用者にとっての視認性が高まる。また、高温注意表示部４０を操作表示部１０の中央近傍に設けたので、使用者の立ち位置が加熱調理器１００の左右いずれかに偏っている場合であっても、高温注意表示部４０を視覚的に認識しやすい。
【００６２】
また、高温注意表示部４０をトッププレート２ではなくプレート枠３の操作表示部１０に設けたので、吹きこぼれが発生した場合や鍋をずらした場合でも高温注意表示部４０は隠れにくく、使用者の見落としを抑制できる。
【００６３】
なお、高温注意表示部４０の発光素子４１ａ、４１ｂ、４１ｃの発光色を、例えば火力表示部５０などの他の表示部の発光素子とは異なるものとしてもよい。このように発光色を異ならせることで、使用者は視覚的に高温注意表示部４０と他の表示部とを識別しやすくなるので、より使用者に注意を促すことができる。
【００６４】
上記説明では、ビルトイン式の加熱調理器を例に説明したが、いわゆる据え置き型の加熱調理器に本発明を適用することもできる。
【符号の説明】
【００６５】
１  本体ケース、２  トッププレート、２ａ、２ｂ  案内マーク、３  プレート枠、４ａ、４ｂ  加熱コイル、５  グリル、５ａ  ドア、６  吸気口、７  排気口、１０  操作表示部、２０  数値表示部、２１  発光素子、２２  導光枠、２２ａ  傾斜壁、２２ｂ  垂直壁、２３  表示窓、２４  表示用開口部、３０  電源ボタン、３１  スイッチ、３２  操作ボタン、３３  ヒンジ部、３４  フランジ、３５  ストッパー、３６  操作部位、３７  電源用開口部、４０  高温注意表示部、４０ａ  高温注意部、４０ｂ  トッププレート部、４０ｃ  グリル部、４１ａ、４１ｂ、４１ｃ  発光素子、４２ａ、４２ｂ、４２ｃ  導光枠、４３ａ、４３ｂ、４３ｃ  文字表示部、４４ａ、４４ｂ、４４ｃ  注意表示用開口部、５０  火力表示部、６０  メニュー選択部、６２  操作ボタン、１００  加熱調理器、１１０ａ、１１０ｂ  操作表示基板、１１１  固定穴、１２０  基板ホルダー、１２１  固定軸、１３０ａ、１３０ｂ  基板カバー、１３１  ボス、１４０  化粧シート、１５０  操作表示ユニット、３２１  天面部、３２２  底面部。
【図１】
0005523232.tif 000002
【図２】
0005523232.tif 000003
【図３】
0005523232.tif 000004
【図４】
0005523232.tif 000005
【図５】
0005523232.tif 000006
【図６】
0005523232.tif 000007
【図７】
0005523232.tif 000008
【図８】
0005523232.tif 000009
【図９】
0005523232.tif 000010
【図１０】
0005523232.tif 000011